(57)【特許請求の範囲】
【請求項１】
１以上の蓄電素子を備えるコンテナ型蓄電ユニットであって、
前記１以上の蓄電素子を収納するとともに内部に人が立入可能な空間を有するコンテナと、
前記コンテナ内に配置され、前記１以上の蓄電素子に接続される交直変換装置と、
前記交直変換装置の上方に配置され、前記交直変換装置の上面に形成された開口部の周囲を囲う囲い部材と、
前記囲い部材内の空気を前記コンテナの外方に送気する送風装置と、を備え、
前記コンテナは、前記交直変換装置と対向する位置に吸気口が形成された側壁を有する
コンテナ型蓄電ユニット。
【請求項２】
１以上の蓄電素子を備えるコンテナ型蓄電ユニットであって、
前記１以上の蓄電素子を収納するとともに内部に人が立入可能な空間を有するコンテナと、
前記コンテナ内に配置され、前記１以上の蓄電素子に接続される交直変換装置と、
前記交直変換装置の上方に配置され、前記交直変換装置の上面に形成された開口部の周囲を囲う囲い部材と、
前記囲い部材内の空気を前記コンテナの外方に送気する送風装置と、を備え、
前記コンテナは、吸気口が形成された床板を有する
コンテナ型蓄電ユニット。
【請求項３】
前記床板に形成された吸気口は、前記交直変換装置の直下に配置される
請求項２に記載のコンテナ型蓄電ユニット。
【請求項４】
１以上の蓄電素子を備えるコンテナ型蓄電ユニットであって、
前記１以上の蓄電素子を収納するとともに内部に人が立入可能な空間を有するコンテナと、
前記コンテナ内に配置され、前記１以上の蓄電素子に接続される交直変換装置と、
前記交直変換装置の上方に配置され、前記交直変換装置の上面に形成された開口部の周囲を囲う囲い部材と、
前記囲い部材内の空気を前記コンテナの外方に送気する送風装置と、
前記コンテナに形成された吸気口と前記交直変換装置に形成された吸気口とを接続する風路を形成するダクトであって、取り外し可能に配置されたダクトと
を備えるコンテナ型蓄電ユニット。
【請求項５】
１以上の蓄電素子を備えるコンテナ型蓄電ユニットであって、
前記１以上の蓄電素子を収納するとともに内部に人が立入可能な空間を有するコンテナと、
前記コンテナ内に配置され、前記１以上の蓄電素子に接続される交直変換装置と、
前記交直変換装置の上方に配置され、前記交直変換装置の上面に形成された開口部の周囲を囲う囲い部材と、
前記囲い部材内の空気を前記コンテナの外方に送気する送風装置と、
前記１以上の蓄電素子と前記交直変換装置との間に配置され、前記１以上の蓄電素子が配置される空間と前記交直変換装置が配置される空間とを仕切る間仕切壁と
を備えるコンテナ型蓄電ユニット。
【請求項６】
前記送風装置は、前記交直変換装置の上部に配置される第一換気扇を有する
請求項１〜５のいずれか１項に記載のコンテナ型蓄電ユニット。
【請求項７】
前記送風装置は、前記交直変換装置の上方かつ前記コンテナの側壁に配置される第二換気扇を有する
請求項１〜６のいずれか１項に記載のコンテナ型蓄電ユニット。
【発明の詳細な説明】
【技術分野】
【０００１】
本発明は、１以上の蓄電素子と、当該１以上の蓄電素子を収納するコンテナとを備えるコンテナ型蓄電ユニットに関する。
【背景技術】
【０００２】
従来、１以上の蓄電素子と、当該１以上の蓄電素子を収納するコンテナとを備える設備（以下、コンテナ型蓄電ユニットという）が知られている（例えば、特許文献１参照）。
【先行技術文献】
【特許文献】
【０００３】
【特許文献１】国際公開第２０１４／１０３０３８号
【発明の概要】
【発明が解決しようとする課題】
【０００４】
ここで、上記のような従来のコンテナ型蓄電ユニットにおいては、外部の電力系統と蓄電素子との間で交流と直流との変換を行う交直変換装置を備えているが、当該交直変換装置は、稼動時の発熱量が大きい。このため、上記従来のコンテナ型蓄電ユニットでは、当該交直変換装置が配置されている空間内の温度が上昇し、当該空間内の機器に影響を及ぼす虞があるという問題がある。
【０００５】
本発明は、上記問題を解決するためになされたものであり、交直変換装置が配置されている空間内の温度の上昇を抑制することができるコンテナ型蓄電ユニットを提供することを目的とする。
【課題を解決するための手段】
【０００６】
上記目的を達成するために、本発明の一態様に係るコンテナ型蓄電ユニットは、１以上の蓄電素子を備えるコンテナ型蓄電ユニットであって、前記１以上の蓄電素子を収納するとともに内部に人が立入可能な空間を有するコンテナと、前記コンテナ内に配置され、前記１以上の蓄電素子に接続される交直変換装置と、前記交直変換装置の上方に配置され、前記交直変換装置の上面に形成された開口部の周囲を囲う囲い部材と、前記囲い部材内の空気を前記コンテナの外方に送気する送風装置とを備える。
【０００７】
これによれば、コンテナ型蓄電ユニットは、交直変換装置の上面に形成された開口部の周囲を囲う囲い部材と、当該囲い部材内の空気をコンテナの外方に送気する送風装置とを備えている。このため、交直変換装置の発熱によって熱せられて、交直変換装置の上方に向けて上昇した空気をコンテナ外方に排出することができるため、交直変換装置が配置されている空間内の温度の上昇を抑制することができる。
【０００８】
また、前記送風装置は、前記交直変換装置の上部に配置される第一換気扇を有することにしてもよい。
【０００９】
これによれば、送風装置は、交直変換装置の上部に第一換気扇を有しているため、交直変換装置の発熱によって熱せられた空気を、当該第一換気扇で交直変換装置上方の囲い部材内に送り、コンテナ外方に排出することができる。
【００１０】
また、前記送風装置は、前記交直変換装置の上方かつ前記コンテナの側壁に配置される第二換気扇を有することにしてもよい。
【００１１】
これによれば、送風装置は、交直変換装置の上方かつコンテナの側壁に第二換気扇を有しているため、交直変換装置の発熱によって熱せられて囲い部材内に送られた空気を、当該第二換気扇によってコンテナ外方に排出することができる。
【００１２】
また、前記コンテナは、前記交直変換装置と対向する位置に吸気口が形成された側壁を有することにしてもよい。
【００１３】
これによれば、コンテナの側壁の交直変換装置と対向する位置に吸気口が形成されているため、交直変換装置によって熱せられていない空気を当該吸気口から吸気することで、交直変換装置が配置されている空間内の温度の上昇を抑制することができる。また、コンテナの側壁に吸気口を形成することで、容易に吸気口を形成することができる。
【００１４】
また、前記コンテナは、吸気口が形成された床板を有することにしてもよい。
【００１５】
これによれば、コンテナの床板に吸気口が形成されているため、交直変換装置によって熱せられていない空気を当該吸気口から吸気することで、交直変換装置が配置されている空間内の温度の上昇を抑制することができる。また、コンテナの床板に吸気口を形成することで、交直変換装置の近傍に吸気口を形成することができる。
【００１６】
また、前記床板に形成された吸気口は、前記交直変換装置の直下に配置されることにしてもよい。
【００１７】
これによれば、交直変換装置の直下の床板に吸気口が配置されているため、交直変換装置によって熱せられていない空気を交直変換装置の直下から吸気することができ、効率良く、かつ簡易に、交直変換装置内の空気の温度の上昇を抑制することができる。
【００１８】
また、さらに、前記コンテナに形成された吸気口と前記交直変換装置に形成された吸気口とを接続する風路を形成するダクトであって、取り外し可能に配置されたダクトを備えることにしてもよい。
【００１９】
これによれば、コンテナ型蓄電ユニットは、コンテナの吸気口と交直変換装置の吸気口とを接続する取り外し可能なダクトを備えている。このため、交直変換装置によって熱せられていない空気を交直変換装置に直接供給することができ、効率良く、交直変換装置内の空気の温度の上昇を抑制することができる。また、当該ダクトを取り外すことができるため、交直変換装置が配置されている空間内に人が立ち入る際の作業性向上などを図ることができる。
【００２０】
また、さらに、前記１以上の蓄電素子と前記交直変換装置との間に配置され、前記１以上の蓄電素子が配置される空間と前記交直変換装置が配置される空間とを仕切る間仕切壁を備えることにしてもよい。
【００２１】
これによれば、蓄電素子と交直変換装置との間に間仕切壁を設置して双方の空間を仕切ることで、交直変換装置の発熱が蓄電素子に影響を及ぼすのを抑制することができる。また、蓄電素子の電解液は少量危険物となり、蓄電素子が配置される空間への防災対策が必要となるため、防災対策が必要な空間を低減することができる。
【発明の効果】
【００２２】
本発明におけるコンテナ型蓄電ユニットによれば、交直変換装置が配置されている空間内の温度の上昇を抑制することができる。
【図面の簡単な説明】
【００２３】
【図１】本発明の実施の形態に係るコンテナ型蓄電ユニットの外観を示す斜視図である。
【図２】本発明の実施の形態に係るコンテナ型蓄電ユニットの内部の構成を示す斜視図である。
【図３】本発明の実施の形態に係るコンテナ型蓄電ユニットの機能構成を示すブロック図である。
【図４】本発明の実施の形態に係る蓄電装置の内部の構成を示す斜視図である。
【図５】本発明の実施の形態に係るパワーコンディショナ周りの構成を示す斜視図である。
【図６】本発明の実施の形態に係るパワーコンディショナ周りの構成を分解して示す斜視図である。
【図７】本発明の実施の形態に係るパワーコンディショナ周りでの空気の流れを示す斜視図である。
【図８】本発明の実施の形態の変形例１に係るパワーコンディショナ周りの構成を示す斜視図である。
【図９】本発明の実施の形態の変形例２に係るパワーコンディショナ周りの構成を示す斜視図である。
【図１０】本発明の実施の形態の変形例３に係るパワーコンディショナ周りの構成を示す斜視図である。
【図１１】本発明の実施の形態の変形例４に係るパワーコンディショナ周りの構成を示す斜視図である。
【発明を実施するための形態】
【００２４】
以下、図面を参照しながら、本発明の実施の形態に係るコンテナ型蓄電ユニットについて説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２５】
（実施の形態）
まず、コンテナ型蓄電ユニット１の構成について、説明する。
【００２６】
図１は、本発明の実施の形態に係るコンテナ型蓄電ユニット１の外観を示す斜視図である。また、図２は、本発明の実施の形態に係るコンテナ型蓄電ユニット１の内部の構成を示す斜視図である。また、図３は、本発明の実施の形態に係るコンテナ型蓄電ユニット１の機能構成を示すブロック図である。
【００２７】
コンテナ型蓄電ユニット１は、内部に人が立入可能なコンテナ内に複数の蓄電素子を収納した設備である。具体的には、図１に示すように、コンテナ型蓄電ユニット１は、コンテナ１０を備えている。また、図２に示すように、コンテナ型蓄電ユニット１は、コンテナ１０の内方に、複数の蓄電装置１００（本実施の形態では、８つの蓄電装置１０１〜１０８）と、複数のパワーコンディショナ２００（本実施の形態では、２つのパワーコンディショナ２０１、２０２）と、制御装置３００とを備えている。
【００２８】
なお、蓄電装置１００は複数設けられていなくともよく、１つの蓄電装置１００しか設けられていない構成でもかまわない。また、パワーコンディショナ２００についても同様に、１つのパワーコンディショナ２００しか設けられていない構成でもかまわない。また、制御装置３００については、複数の制御装置３００が設けられている構成でもよい。
【００２９】
コンテナ１０は、内部に人が立入可能な空間を有するコンテナである。つまり、コンテナ１０は、内部の機器のメンテナンス時などに内部に人が立ち入れるほどの大きさを有する金属製の中空かつ直方体形状の箱体である。具体的には、コンテナ１０は、後述の複数の蓄電素子１２２を有する蓄電装置１００を収納し、土地に自立して設置されている。なお、コンテナ１０は、いわゆるシェルタなどの箱体や、トラックや列車などの輸送手段によって搬送可能な箱体なども含む概念である。
【００３０】
例えば、コンテナ１０の一例として、蓄電装置１００を収納するいわゆる専用コンテナのうち、建築物には該当しない専用コンテナが挙げられるが、これに限定されない。国住指第４８４６号では、このような建築物には該当しない専用コンテナは、蓄電素子１２２、その他蓄電素子１２２としての機能を果たすため必要となる設備、及びそれらの設備を設置するための空間その他の蓄電素子１２２としての機能を果たすため必要となる最小限の空間のみを内部に有していると定義されている。また、この場合、コンテナ１０は、稼動時は無人であり、機器の重大な障害発生時等を除いて内部に人が立ち入らないこととされている。また、この場合、コンテナ１０は、複数積み重ねられて使用されることはないと定義されている。
【００３１】
ここで、コンテナ１０は、下壁部１１と、側壁部１２、１３、１４及び１５と、上壁部１６とを有している。また、コンテナ１０は、内方に、コンテナ１０内の空間を２つの部屋に仕切る間仕切壁１７を有している。
【００３２】
下壁部１１は、コンテナ１０の底部に配置された壁であり、底面を形成する矩形状の板状部材である床板と、当該床板の下方に配置された複数の梁（図示せず）とを有している。当該梁は、例えばＸ軸方向（またはＹ軸方向）に延びる長尺状の部材であり、床板を下方から支えるとともに、当該床板を補強する。なお、床板及び梁の材質は特に限定されないが、金属等の強度の高い材質によって形成されているのが好ましい。
【００３３】
側壁部１２、１３、１４及び１５は、下壁部１１から立設して配置されたコンテナ１０の側壁であり、下壁部１１の外縁に沿って、下壁部１１を囲うように配置されている。側壁部１２、１３、１４及び１５のそれぞれは、側面を形成する矩形状の板状部材と、当該板状部材を補強する複数の柱（図示せず）とを有している。つまり、当該柱は、下壁部１１の外縁から上方（Ｚ軸方向プラス側）に延びる長尺状の部材である。なお、当該板状部材及び柱の材質は特に限定されないが、金属等の強度の高い材質によって形成されているのが好ましい。
【００３４】
具体的には、側壁部１２は、コンテナ１０の長側面のうちＸ軸方向プラス側の面（前面）に配置された壁であり、開閉扉１２ａと、側壁吸気口１２ｂとが設けられている。開閉扉１２ａは、蓄電装置１００及び制御装置３００を収容する部屋への出入口となる矩形状の扉であり、開閉可能に設置されている。つまり、側壁部１２には、人が出入りできるほどの大きさの開口部が形成されており、開閉扉１２ａは、当該開口部を開閉可能に取り付けられている。
【００３５】
また、側壁吸気口１２ｂは、パワーコンディショナ２００を収容する部屋へ空気を流入させる複数の開口部が形成された矩形状の吸気口であり、側壁部１２の下部に配置されている。つまり、側壁吸気口１２ｂは、コンテナ１０の外方の空気をコンテナ１０の内方に吸気する吸気口である。また、側壁吸気口１２ｂは、側壁部１２のパワーコンディショナ２００と対向する位置（Ｘ軸方向から見て、少なくとも一部がパワーコンディショナ２００と重なる位置）に形成されている。なお、側壁吸気口１２ｂの形状は、矩形状には限定されず、円形状、楕円形状、矩形以外の多角形状などどのような形状であってもかまわない。
【００３６】
側壁部１３は、コンテナ１０の短側面のうちＹ軸方向プラス側の面に配置された壁であり、側壁部１５は、コンテナ１０の短側面のうちＹ軸方向マイナス側の面に配置された壁である。ここで、側壁部１３には、開閉扉１３ａが設けられている。開閉扉１３ａは、パワーコンディショナ２００を収容する部屋への出入口となる矩形状の扉であり、開閉可能に設置されている。
【００３７】
なお、図１に示される、開閉扉１２ａ及び開閉扉１３ａそれぞれの位置は例示であり、これらの位置は、図１に示される位置に限定されない。例えば、開閉扉１２ａは、側壁部１２において、図１に示される位置とは異なる位置に配置されてもよく、他の側壁部（例えば側壁部１５）に配置されていてもよい。また、開閉扉１３ａが、例えば側壁部１２に配置されていてもよい。
【００３８】
側壁部１４は、コンテナ１０の長側面のうちＸ軸方向マイナス側の面（背面）に配置された壁であり、側壁排気口１４ａが設けられている。側壁排気口１４ａは、パワーコンディショナ２００を収容する部屋の空気を外方に放出する開口部が形成された排気口であり、側壁部１４の上部に配置されている。側壁排気口１４ａの開口部の形状は、特に限定されず、矩形状、円形状、楕円形状、三角形状などどのような形状であってもかまわない。
【００３９】
つまり、側壁吸気口１２ｂからコンテナ１０内に流入し、パワーコンディショナ２００によって熱せられた空気を、側壁排気口１４ａからコンテナ１０の外方に排出することで、パワーコンディショナ２００の温度上昇を抑制する。この熱せられた空気をコンテナ１０の外方に排出する詳細については、後述する。
【００４０】
上壁部１６は、コンテナ１０の上部に配置された天井（屋根）を構成する壁であり、側壁部１２、１３、１４及び１５の上方に配置されている。つまり、上壁部１６は、外縁が側壁部１２、１３、１４及び１５の上端に接続されて配置されている。また、上壁部１６は、天面を形成する矩形状の板状部材と、当該板状部材を補強する複数の梁（図示せず）とを有している。当該梁は、例えばＸ軸方向（またはＹ軸方向）に延びる長尺状の部材である。なお、当該板状部材及び梁の材質は特に限定されないが、金属等の強度の高い材質によって形成されているのが好ましい。
【００４１】
間仕切壁１７は、蓄電装置１００とパワーコンディショナ２００との間に配置され、蓄電装置１００が配置される空間とパワーコンディショナ２００が配置される空間とを仕切る壁である。つまり、間仕切壁１７は、側壁部１３及び１５と平行、かつ、下壁部１１、側壁部１２、１４及び上壁部１６の４つの壁に囲まれるように当該４つの壁に接して配置された矩形状の板状部材である。なお、間仕切壁１７は、他の壁と同様に、柱または梁を有することにしてもよい。
【００４２】
以上のように、コンテナ１０を構成する壁部（下壁部１１、側壁部１２、１３、１４、１５、上壁部１６、及び間仕切壁１７）は、板状部材を有している。当該板状部材は、波板などどのような形状の部材であってもかまわないが、コンテナ１０内の利用可能な容積を広げる等の観点から、平板状の部材であるのが好ましい。また、当該板状部材は、どのような材質で形成されていてもかまわないが、強度確保等の観点から、鋼板などの金属製の部材で形成されているのが好ましい。また、コンテナ１０内の温度管理等の観点から、当該壁部は、内部に断熱材を有していることにしてもよい。
【００４３】
蓄電装置１００は、後述の複数の蓄電素子１２２を有する蓄電モジュール１２０を複数備えた装置（つまり、複数の蓄電池を備えた蓄電池盤）である。本実施の形態では、８つの蓄電装置１００（蓄電装置１０１〜１０８）のそれぞれは、矩形状を有し、１２個の蓄電素子１２２を有する蓄電モジュール１２０を３６個備えている。つまり、８つの蓄電装置１００の全てで、３４５６個の蓄電素子１２２（２８８個の蓄電モジュール１２０）を有している。
【００４４】
具体的には、８つの蓄電装置１００は、蓄電装置１０１〜１０４で構成される第一系統と、蓄電装置１０５〜１０８で構成される第二系統との２つの系統に分かれて、配置されている。そして、第一系統及び第二系統の各系統において、直列に接続された１２個の蓄電モジュール１２０が、１２セット並列に接続されている。
【００４５】
ここで、第一系統の蓄電装置１０１〜１０４は、側壁部１４の内側面に沿ってＹ軸方向に並んで配置されており、第二系統の蓄電装置１０５〜１０８は、側壁部１２の内側面に沿ってＹ軸方向に並んで配置されている。これにより、第一系統の蓄電装置１０１〜１０４と第二系統の蓄電装置１０５〜１０８との間に、機器の重大な障害発生時等に人が立入可能な空間が形成されている。
【００４６】
また、蓄電装置１０１〜１０８は、コンテナ１０の側壁に固定されている。つまり、蓄電装置１０１〜１０４は、側壁部１４の内側面に固定されており、蓄電装置１０５〜１０８は、側壁部１２の内側面に固定されている。
【００４７】
なお、系統の数、１系統に含まれる蓄電装置１００の数、蓄電装置１００が有する蓄電モジュール１２０の数、蓄電モジュール１２０が有する蓄電素子１２２の数、直列に接続される蓄電モジュール１２０（蓄電素子１２２）の数などは、一例であり、上記の数に限定されない。例えば、コンテナ型蓄電ユニット１は１つの蓄電装置１００しか備えておらず、さらに、当該１つの蓄電装置１００は１つの蓄電素子１２２しか有していない構成でもかまわない。この蓄電装置１００の詳細な構成についての説明は、後述する。
【００４８】
パワーコンディショナ２００は、コンテナ１０の蓄電装置１００とは反対側（Ｙ軸方向プラス側）に、側壁部１４に沿って配置される外形が矩形状のパワーコンディショナ（Ｐｏｗｅｒ  Ｃｏｎｄｉｔｉｏｎｉｎｇ  Ｓｙｓｔｅｍ：ＰＣＳ）である。パワーコンディショナ２００は、外部の電力系統と蓄電装置１００とを繋ぎ、蓄電装置１００への電力を交流から直流に変換したり、蓄電装置１００からの電力を直流から交流に変換したりする交直変換装置である。
【００４９】
具体的には、図３に示すように、パワーコンディショナ２００は、蓄電装置１００に接続（つまり、制御装置３００を介して複数の蓄電モジュール１２０、すなわち複数の蓄電素子１２２に接続）されるとともに、外部の電力系統（商用電力系統２や電力負荷３など）に接続されている。そして、パワーコンディショナ２００は、蓄電素子１２２の充電時に、当該電力系統から交流電力を受電した場合には、当該交流電力を直流電力に変換し、蓄電装置１００へ送電する。また、パワーコンディショナ２００は、蓄電装置１００に貯蔵されている電力を電力系統に供給するために、蓄電装置１００からの直流電力を交流電力に変換して、電力系統へ送電する。
【００５０】
ここで、本実施の形態では、２つのパワーコンディショナ２００（パワーコンディショナ２０１、２０２）が設けられており、それぞれのパワーコンディショナ２００は、電源線５１０、５２０及び制御装置３００を介して、蓄電装置１００の各系統に接続されている。電源線５１０、５２０は、蓄電装置１００の充放電による電流が流れる配線（ケーブル）である。つまり、パワーコンディショナ２０１は、電源線５１０、５２０及び制御装置３００を介して、第一系統の蓄電装置１０１〜１０４に接続され、パワーコンディショナ２０２は、電源線５１０、５２０及び制御装置３００を介して、第二系統の蓄電装置１０５〜１０８に接続されている。これにより、蓄電装置１０１〜１０８の充放電が行われる。
【００５１】
なお、パワーコンディショナ２００は、変圧器を介して、外部の電力系統と接続されているが、詳細な説明は省略する。また、パワーコンディショナ２００の外形は、矩形状には限定されず、円柱形状など種々の形状が適用可能である。
【００５２】
図２に戻り、制御装置３００は、蓄電装置１００とパワーコンディショナ２００との間に配置される外形が矩形状の装置であり、蓄電装置１００を制御する。ここで、制御装置３００は、間仕切壁１７に沿って配置されている。具体的には、制御装置３００は、間仕切壁１７の蓄電装置１００側に配置されている。つまり、間仕切壁１７によって仕切られた２つの部屋のうちの一方の部屋（Ｙ軸方向マイナス側の部屋）に、蓄電装置１００と制御装置３００とが収容され、他方の部屋（Ｙ軸方向プラス側の部屋）にパワーコンディショナ２００が収容されている。なお、蓄電装置１００と制御装置３００とは、機器の重大な障害発生時等に人が立入可能な空間が形成されるように、離間して配置されている。
【００５３】
ここで、制御装置３００は、蓄電装置１００の主回路を集合させ、並列接続し、パワーコンディショナ２００と取り合うための中継の役割を担っている。また、制御装置３００は、蓄電装置１００が有する蓄電モジュール１２０（または蓄電素子１２２）の充電状態や放電状態等に関する情報（電圧、温度など）を取得して監視する。つまり、制御装置３００には、当該情報を集合させてシステム全体の情報を取りまとめる監視装置が収納されている。また、制御装置３００は、パワーコンディショナ２００に対して充放電指令を行うことで、蓄電装置１００が有する蓄電モジュール１２０（または蓄電素子１２２）を制御する。つまり、制御装置３００には、充放電制御装置が収納されている。
【００５４】
具体的には、図３に示すように、制御装置３００は、電源線５１０を介して、各系統に含まれる蓄電装置１００（蓄電装置１０１〜１０８）と接続され、電源線５２０を介して、パワーコンディショナ２００と接続されている。また、制御装置３００は、通信線５３０を介して、各系統に含まれる蓄電装置１００（蓄電装置１０１〜１０８）に接続されている。通信線５３０は、蓄電装置１００からの情報、または蓄電装置１００への情報を伝達する配線（ケーブル）である。これにより、蓄電装置１００が有する蓄電モジュール１２０（または蓄電素子１２２）の充電状態や放電状態等の情報が制御装置３００に送られる。
【００５５】
また、制御装置３００は、通信線５４０を介して、パワーコンディショナ２００に接続されており、パワーコンディショナ２００に充放電指令を送信し、蓄電装置１００の充放電を制御する。通信線５４０は、パワーコンディショナ２００からの情報、またはパワーコンディショナ２００への情報を伝達する配線（ケーブル）である。つまり、パワーコンディショナ２０１及び２０２は、通信線５４０を介して送信された制御装置３００からの充放電指令に従って、第一系統の蓄電装置１０１〜１０４及び第二系統の蓄電装置１０５〜１０８の充放電を制御する。
【００５６】
なお、制御装置３００は、上記の充放電制御装置を有していない構成（いわゆる蓄電池集合盤）であってもかまわないし、さらに、上記の監視装置を有していない構成であってもかまわない。この場合、コンテナ型蓄電ユニット１は、充放電制御装置または監視装置を別体として有していてもよいし、有していない構成でもかまわない。
【００５７】
次に、蓄電装置１００の具体的な構成について、詳細に説明する。
【００５８】
図４は、本発明の実施の形態に係る蓄電装置１００の内部の構成を示す斜視図である。具体的には、同図の（ａ）は、ラック１１０を透過して蓄電装置１００の内部構成を示している。また、同図の（ｂ）は、収容ケース１２１を透過して蓄電モジュール１２０の内部構成を示している。また、同図の（ｃ）は、容器本体１２２ｂを分離して蓄電素子１２２の内部構成を示している。
【００５９】
同図の（ａ）に示すように、蓄電装置１００は、蓄電装置１００の外装体を構成するラック１１０と、ラック１１０内に収容された複数の蓄電モジュール１２０とを備えている。
【００６０】
ラック１１０は、６枚の矩形状の平板、柱、支持台などを有する中空の直方体形状（箱型）の部材であり、複数の蓄電モジュール１２０を収容し、かつ、当該複数の蓄電モジュール１２０を載置して支持する。なお、ラック１１０を構成する部材は、どのような材質で形成されていてもよいが、金属等の強度の高い材質によって形成されているのが好ましい。
【００６１】
蓄電モジュール１２０は、外部からの電気を充電し、また外部へ電気を放電することができる機器（電池モジュール）である。本実施の形態では、１２段の支持台のそれぞれに、３個の蓄電モジュール１２０が載置されている。また、４段分（１２個）の蓄電モジュール１２０が直列に接続されており、当該４段分の蓄電モジュール１２０が、３セット並列に接続されている。なお、蓄電モジュール１２０の個数は限定されず、他の複数個数または１個であってもよい。
【００６２】
また、同図の（ｂ）に示すように、蓄電モジュール１２０は、蓄電モジュール１２０の外装体を構成する収容ケース１２１と、収容ケース１２１内に収容された複数の蓄電素子１２２とを備えている。収容ケース１２１は、中空の直方体形状（箱型）の部材であり、複数の蓄電素子１２２を覆うように配置されている。収容ケース１２１は、絶縁を確保する等の観点から、樹脂等の絶縁性の材質によって形成されているのが好ましい。
【００６３】
なお、同図の（ｂ）では、蓄電モジュール１２０は、１２個の矩形状の蓄電素子１２２を備えているが、蓄電素子１２２の個数は限定されず、他の複数個数または１個であってもよい。また、蓄電素子１２２の形状も限定されず、円柱形状や長円柱形状などであってもよい。また、蓄電モジュール１２０は、蓄電素子１２２同士を電気的に接続するバスバーや、蓄電素子１２２間に配置されるスペーサなども備えているが、詳細な説明は省略する。ここで、蓄電素子１２２の具体的な構成について、詳細に説明する。
【００６４】
蓄電素子１２２は、電気を充電し、また、電気を放電することのできる二次電池であり、より具体的には、リチウムイオン二次電池などの非水電解質二次電池である。なお、蓄電素子１２２は、非水電解質二次電池には限定されず、非水電解質二次電池以外の二次電池であってもよいし、キャパシタであってもかまわない。
【００６５】
同図の（ｃ）に示すように、蓄電素子１２２は、容器を構成する容器蓋体１２２ａ及び容器本体１２２ｂと、正極端子１２２ｃと、負極端子１２２ｄとを備え、容器内方には、正極集電体１２２ｅと、負極集電体１２２ｆと、電極体１２２ｇとが配置されている。なお、容器内部には電解液などの液体が封入されているが、当該液体の図示は省略する。
【００６６】
容器本体１２２ｂは、金属からなる矩形筒状で底を備える部材であり、容器蓋体１２２ａは、容器本体１２２ｂの開口を閉塞する金属製の部材である。この容器本体１２２ｂの内部に電極体１２２ｇ等が収容され、容器蓋体１２２ａと容器本体１２２ｂとが溶接等されることにより、容器の内部が密封される。
【００６７】
電極体１２２ｇは、正極と負極とセパレータとを備え、電気を蓄えることができる発電要素である。具体的には、電極体１２２ｇは、正極と負極との間にセパレータが挟み込まれるように層状に配置されたものが巻回されて長円形状に形成された巻回型の電極体である。なお、電極体１２２ｇは、円形状または楕円形状などに形成されていてもよいし、正極と負極とセパレータとが積層された積層型の電極体であってもかまわない。
【００６８】
正極は、アルミニウムまたはアルミニウム合金などからなる長尺帯状の導電性の正極集電箔の表面に、正極活物質層が形成された電極板である。負極は、銅または銅合金などからなる長尺帯状の導電性の負極集電箔の表面に、負極活物質層が形成された電極板である。なお、正極活物質層に用いられる正極活物質、及び負極活物質層に用いられる負極活物質としては、リチウムイオンを吸蔵放出可能なものであれば、適宜公知の材料を使用できる。
【００６９】
正極端子１２２ｃは、正極集電体１２２ｅを介して、電極体１２２ｇの正極に電気的に接続された電極端子であり、負極端子１２２ｄは、負極集電体１２２ｆを介して、電極体１２２ｇの負極に電気的に接続された電極端子である。つまり、正極端子１２２ｃ及び負極端子１２２ｄは、電極体１２２ｇに蓄えられている電気を蓄電素子１２２の外部空間に導出し、また、電極体１２２ｇに電気を蓄えるために蓄電素子１２２の内部空間に電気を導入するための金属製の電極端子である。
【００７０】
正極集電体１２２ｅは、電極体１２２ｇの正極と容器本体１２２ｂの側壁との間に配置され、正極端子１２２ｃと当該正極とに電気的に接続される導電性と剛性とを備えた部材である。なお、正極集電体１２２ｅは、当該正極の正極集電箔と同様、アルミニウムまたはアルミニウム合金などを主成分とする金属で形成されている。
【００７１】
負極集電体１２２ｆは、電極体１２２ｇの負極と容器本体１２２ｂの側壁との間に配置され、負極端子１２２ｄと当該負極とに電気的に接続される導電性と剛性とを備えた部材である。なお、負極集電体１２２ｆは、当該負極の負極集電箔と同様、銅または銅合金などを主成分とする金属で形成されている。
【００７２】
次に、パワーコンディショナ２００周りの具体的な構成について、詳細に説明する。
【００７３】
図５は、本発明の実施の形態に係るパワーコンディショナ２００周りの構成を示す斜視図である。具体的には、同図は、図２に示されたコンテナ型蓄電ユニット１の内部において、パワーコンディショナ２００が配置されている周囲の構成を示している。
【００７４】
また、図６は、本発明の実施の形態に係るパワーコンディショナ２００周りの構成を分解して示す斜視図である。具体的には、同図は、図５に示された２つのパワーコンディショナ２００のうち、いずれか１つのパワーコンディショナ２００周りの構成を分解して示している。
【００７５】
また、図７は、本発明の実施の形態に係るパワーコンディショナ２００周りでの空気の流れを示す斜視図である。なお、同図では、説明の便宜のため、図５にコンテナ１０の側壁部１２を加え、かつ、側壁部１２を透過して示している。
【００７６】
これらの図に示すように、パワーコンディショナ２００（パワーコンディショナ２０１、２０２）のそれぞれは、ＰＣＳ吸気口２００ａとＰＣＳ排気口２００ｂと第一換気扇２００ｃとを有している。また、コンテナ型蓄電ユニット１は、それぞれのパワーコンディショナ２００の上方に、囲い部材２１０と２つの第二換気扇２２０とを備えている。
【００７７】
ＰＣＳ吸気口２００ａは、パワーコンディショナ２００の外方の空気をパワーコンディショナ２００の内方に吸気する複数の開口部が形成された矩形状の吸気口であり、パワーコンディショナ２００の前面（Ｘ軸方向プラス側の面）の下部に配置されている。具体的には、ＰＣＳ吸気口２００ａは、図７に示すように、側壁部１２の側壁吸気口１２ｂと対向する位置（Ｘ軸方向から見て、少なくとも一部が側壁吸気口１２ｂと重なる位置）に形成されている。
【００７８】
これにより、側壁吸気口１２ｂから、パワーコンディショナ２００の発熱によって熱せられていない（熱せられる前の）空気（外気）が、パワーコンディショナ２００が配置されている空間内に流入する。そして、当該空気は、ＰＣＳ吸気口２００ａから、パワーコンディショナ２００の内方に流入する。なお、ＰＣＳ吸気口２００ａの形状は、矩形状には限定されず、円形状、楕円形状、矩形以外の多角形状などどのような形状であってもかまわない。
【００７９】
ＰＣＳ排気口２００ｂは、パワーコンディショナ２００の内方の空気をパワーコンディショナ２００の外方に排気する複数の開口部が形成された矩形状の排気口であり、パワーコンディショナ２００の上面に形成されている。具体的には、ＰＣＳ排気口２００ｂは、第一換気扇２００ｃの上方に配置されており、第一換気扇２００ｃから送気された空気をパワーコンディショナ２００の上方に排気する。なお、ＰＣＳ排気口２００ｂの形状は、矩形状には限定されず、円形状、楕円形状、矩形以外の多角形状などどのような形状であってもかまわない。
【００８０】
第一換気扇２００ｃは、パワーコンディショナ２００の上部に配置される送風装置（ファン）であり、下方から上方へ向けて（Ｚ軸方向マイナス側からプラス側に向けて）空気を送気する。具体的には、第一換気扇２００ｃは、パワーコンディショナ２００の外方の空気をＰＣＳ吸気口２００ａからパワーコンディショナ２００の内方に吸気し、かつ、当該空気をＰＣＳ排気口２００ｂからパワーコンディショナ２００の外方に排気する。つまり、第一換気扇２００ｃは、パワーコンディショナ２００の発熱によって熱せられていない（熱せられる前の）空気を、ＰＣＳ吸気口２００ａからパワーコンディショナ２００の内方に流入させる。そして、第一換気扇２００ｃは、パワーコンディショナ２００の発熱によって熱せられた当該空気を、ＰＣＳ排気口２００ｂからパワーコンディショナ２００の外方（上方）に流出させる。
【００８１】
囲い部材２１０は、パワーコンディショナ２００の上方に配置され、パワーコンディショナ２００の上面に形成された開口部であるＰＣＳ排気口２００ｂの周囲を囲う部材である。囲い部材２１０は、パワーコンディショナ２００の上面に当接して配置されている。具体的には、囲い部材２１０は、Ｘ軸方向プラス側に配置される矩形状の板状部材２１１と、Ｙ軸方向マイナス側に配置される矩形状の板状部材２１２と、Ｙ軸方向プラス側に配置される矩形状の板状部材２１３とによって構成されている。
【００８２】
板状部材２１２は、一端が板状部材２１１の一端に接続され、他端が側壁部１４の内側面に当接するように配置されている。また、板状部材２１３は、一端が板状部材２１１の他端に接続され、他端が側壁部１４の内側面に当接するように配置されている。つまり、囲い部材２１０は、矩形状の平板を折り曲げるようにして形成された１面が開口した角筒状（コの字状）の形状を有しており、端部が側壁部１４に当接されることで、当該開口した部分を塞ぐように配置されている。これにより、ＰＣＳ排気口２００ｂは、囲い部材２１０と側壁部１４とによって、全周が囲われている。
【００８３】
また、囲い部材２１０は、コンテナ１０の上壁部１６の内面に当接して配置されている。これにより、囲い部材２１０と側壁部１４と上壁部１６とによって、パワーコンディショナ２００のＰＣＳ排気口２００ｂ上方に閉鎖した空間が形成されている。
【００８４】
なお、囲い部材２１０は、パワーコンディショナ２００、側壁部１４及び上壁部１６に当接して空気の流路を形成するのが好ましいが、パワーコンディショナ２００、側壁部１４及び上壁部１６の少なくとも１つに当接しておらず隙間が生じている構成でもかまわない。また、囲い部材２１０は、Ｘ軸方向マイナス側に矩形状の板状部材を有する角筒形状の部材であってもかまわない。また、囲い部材２１０は、ＰＣＳ排気口２００ｂの周囲を囲う円筒形状の部材など、ＰＣＳ排気口２００ｂの周囲を囲う形状であればどのような形状であってもかまわない。また、囲い部材２１０を形成する部材は、鋼板などどのような部材であってもかまわない。
【００８５】
第二換気扇２２０は、パワーコンディショナ２００の上方かつコンテナ１０の側壁部１４に配置される送風装置（ファン）であり、側壁部１４の内方から外方へ向けて（Ｘ軸方向プラス側からマイナス側に向けて）空気を送気する。具体的には、２つの第二換気扇２２０が、側壁部１４に沿ってＹ軸方向に並び、かつ、囲い部材２１０の内方に配置されている。つまり、２つの第二換気扇２２０は、パワーコンディショナ２００の上面と囲い部材２１０と側壁部１４と上壁部１６とで囲まれる空間内に配置されている。そして、２つの第二換気扇２２０は、囲い部材２１０内の空気をコンテナ１０の外方に送気する。つまり、２つの第二換気扇２２０は、パワーコンディショナ２００の発熱によって熱せられて第一換気扇２００ｃにより囲い部材２１０内に送気された空気を、側壁部１４に形成された側壁排気口１４ａからコンテナ１０の外方に排気する。
【００８６】
このように、第一換気扇２００ｃ及び２つの第二換気扇２２０は、囲い部材２１０内の空気をコンテナ１０の外方に送気する送風装置である。なお、第二換気扇２２０の個数は２つには限定されず、１つまたは３つ以上設けられていてもかまわない。また、第一換気扇２００ｃの個数も特に限定されず、２つ以上設けられていてもかまわない。
【００８７】
以上のように、本発明の実施の形態に係るコンテナ型蓄電ユニット１によれば、パワーコンディショナ２００の上面に形成されたＰＣＳ排気口２００ｂの周囲を囲う囲い部材２１０と、囲い部材２１０内の空気をコンテナ１０の外方に送気する第一換気扇２００ｃ及び第二換気扇２２０とを備えている。このため、パワーコンディショナ２００の発熱によって熱せられて、パワーコンディショナ２００の上方に向けて上昇した空気をコンテナ１０外方に排出することができるため、パワーコンディショナ２００が配置されている空間内の温度の上昇を抑制することができる。
【００８８】
また、パワーコンディショナ２００の上部に第一換気扇２００ｃが設けられているため、パワーコンディショナ２００の発熱によって熱せられた空気を、第一換気扇２００ｃでパワーコンディショナ２００上方の囲い部材２１０内に送り、コンテナ１０外方に排出することができる。
【００８９】
また、パワーコンディショナ２００の上方かつコンテナ１０の側壁に第二換気扇２２０が設けられているため、パワーコンディショナ２００の発熱によって熱せられて囲い部材２１０内に送られた空気を、第二換気扇２２０によってコンテナ１０外方に排出することができる。
【００９０】
また、コンテナ１０の側壁のパワーコンディショナ２００と対向する位置に側壁吸気口１２ｂが形成されているため、パワーコンディショナ２００によって熱せられていない空気を側壁吸気口１２ｂから吸気することで、パワーコンディショナ２００が配置されている空間内の温度の上昇を抑制することができる。また、コンテナ１０の側壁に吸気口を形成することで、容易に吸気口を形成することができる。
【００９１】
また、蓄電装置１００とパワーコンディショナ２００との間に間仕切壁１７を設置して双方の空間を仕切ることで、パワーコンディショナ２００の発熱が蓄電装置１００内の蓄電素子１２２に影響を及ぼすのを抑制することができる。また、蓄電素子１２２の電解液は少量危険物となり、蓄電素子１２２が配置される空間への防災対策が必要となるため、防災対策が必要な空間を低減することができる。
【００９２】
（変形例１）
次に、上記実施の形態の変形例１について、説明する。本変形例では、ＰＣＳ吸気口２００ａと側壁吸気口１２ｂとを接続する取り外し可能なダクトが配置されている。
【００９３】
図８は、本発明の実施の形態の変形例１に係るパワーコンディショナ２００周りの構成を示す斜視図である。なお、同図では、図７と同様に、説明の便宜のため、図５に対応する図にコンテナ１０の側壁部１２を加え、かつ、側壁部１２を透過して示している。
【００９４】
図８に示すように、本変形例におけるコンテナ型蓄電ユニットは、上記実施の形態におけるコンテナ型蓄電ユニット１に加えて、ダクト２３０を備えている。なお、その他の構成については、上記実施の形態と同様のため、説明は省略する。
【００９５】
ダクト２３０は、コンテナ１０の側壁部１２に形成された側壁吸気口１２ｂと、パワーコンディショナ２００に形成されたＰＣＳ吸気口２００ａとを接続する風路を形成する可動式のダクトである。つまり、ダクト２３０は、一端が、側壁吸気口１２ｂのコンテナ１０内面側の開口を覆うように側壁部１２の内側面（Ｘ軸方向マイナス側の面）に当接して配置されており、他端が、ＰＣＳ吸気口２００ａを覆うようにパワーコンディショナ２００の前面（Ｘ軸方向プラス側の面）に当接して配置されている。これにより、ダクト２３０は、側壁吸気口１２ｂとＰＣＳ吸気口２００ａとを接続する風路を形成している。
【００９６】
また、ダクト２３０は、設置された位置から取り外し可能に配置されている。例えば、ダクト２３０は、下部に車輪（キャスター）が設けられており、必要に応じて、移動させることが可能な構成となっている。
【００９７】
なお、ダクト２３０は、側壁部１２の内側面及びパワーコンディショナ２００の前面に当接して風路を形成するのが好ましいが、側壁部１２の内側面及びパワーコンディショナ２００の前面の少なくとも１つに当接しておらず隙間が生じている構成でもかまわない。また、ダクト２３０は、同図では、角筒形状を有しているが、上記の風路を形成できる形状であれば、円筒形状などどのような形状であってもかまわない。また、ダクト２３０を形成する部材は、鋼板などどのような部材であってもかまわない。
【００９８】
また、本変形例では、ダクト２３０は、パワーコンディショナ２００ごとに１つずつの合計２つ配置されているが、ダクト２３０の数は特に限定されず、２つのパワーコンディショナ２００を跨るように大きなダクトが１つ配置されていてもよいし、小さなダクトが多数配置されていてもよい。
【００９９】
以上のように、本発明の実施の形態の変形例１に係るコンテナ型蓄電ユニットにおいても、上記実施の形態と同様の効果を奏することができる。特に、ダクト２３０が配置されていることで、パワーコンディショナ２００によって熱せられていない空気（外気）をパワーコンディショナ２００に直接供給することができ、効率良く、パワーコンディショナ２００内の空気の温度の上昇を抑制することができる。また、ダクト２３０を取り外すことができるため、パワーコンディショナ２００が配置されている空間内に人が立ち入る際の作業性向上などを図ることができる。
【０１００】
（変形例２）
次に、上記実施の形態の変形例２について、説明する。上記実施の形態では、コンテナ１０の側壁部１２に側壁吸気口１２ｂが形成されていることとした。しかし、本変形例では、コンテナ１０の下壁部１１に吸気口が形成されている。
【０１０１】
図９は、本発明の実施の形態の変形例２に係るパワーコンディショナ２００周りの構成を示す斜視図である。具体的には、同図は、図５に対応する図である。
【０１０２】
同図に示すように、本変形例において、下壁部１１は、上記実施の形態と異なり、側面部１１ａに側面吸気口１１ｂが形成され、かつ、床板１１ｃに床板吸気口１１ｄが形成されている。つまり、本変形例において、コンテナは、外方の空気を吸気する吸気口が形成された側面部１１ａと床板１１ｃとを有している。また、本変形例において、側壁部１２（図示せず）には、上記実施の形態と異なり、側壁吸気口１２ｂが形成されていない。なお、その他の構成については、上記実施の形態と同様のため、説明は省略する。
【０１０３】
側面吸気口１１ｂは、下壁部１１のＸ軸方向プラス側の側面部１１ａに形成された複数の開口部を有する矩形状の吸気口であり、コンテナ外方の空気を床板１１ｃ下方の空間に吸気する。なお、側面吸気口１１ｂは、下壁部１１のＸ軸方向マイナス側の側面部やＹ軸方向プラス側の側面部などに形成されていてもよいが、ＰＣＳ吸気口２００ａの近くに形成されているのが好ましい。なお、側面吸気口１１ｂの形状は、矩形状には限定されず、円形状、楕円形状、矩形以外の多角形状などどのような形状であってもかまわない。
【０１０４】
床板吸気口１１ｄは、下壁部１１の上面を形成する板状部材である床板１１ｃに形成された複数の開口部を有する矩形状の吸気口であり、側面吸気口１１ｂから吸気された空気をコンテナの内方に吸気する。床板吸気口１１ｄは、床板１１ｃのどの位置に形成されていてもよいが、ＰＣＳ吸気口２００ａの近くに形成されているのが好ましい。本変形例では、パワーコンディショナ２００の前方（Ｘ軸方向プラス側）かつ近傍に配置されている。なお、床板吸気口１１ｄの形状は、矩形状には限定されず、円形状、楕円形状、矩形以外の多角形状などどのような形状であってもかまわない。
【０１０５】
なお、本変形例では、側面吸気口１１ｂ及び床板吸気口１１ｄは、２つずつ形成されているが、側面吸気口１１ｂ及び床板吸気口１１ｄの数は特に限定されず、大きな吸気口が１つ形成されていてもよいし、小さな吸気口が多数形成されていてもよい。
【０１０６】
以上のように、本発明の実施の形態の変形例２に係るコンテナ型蓄電ユニットにおいても、上記実施の形態と同様の効果を奏することができる。特に、コンテナの床板１１ｃに吸気口が形成されているため、パワーコンディショナ２００によって熱せられていない空気を当該吸気口から吸気することで、パワーコンディショナ２００が配置されている空間内の温度の上昇を抑制することができる。また、コンテナの床板１１ｃに吸気口を形成することで、パワーコンディショナ２００の近傍に吸気口を形成することができる。
【０１０７】
（変形例３）
次に、上記実施の形態の変形例３について、説明する。上記変形例２では、パワーコンディショナ２００の前方に床板吸気口１１ｄが形成されていることとした。しかし、本変形例では、パワーコンディショナ２００の直下に床板吸気口が形成されている。
【０１０８】
図１０は、本発明の実施の形態の変形例３に係るパワーコンディショナ２００周りの構成を示す斜視図である。具体的には、同図は、図５に対応する図である。
【０１０９】
同図に示すように、本変形例において、下壁部１１は、上記変形例２と異なり、床板１１ｃに、床板吸気口１１ｄに代えて床板吸気口１１ｅが形成されている。また、本変形例において、パワーコンディショナ２００には、上記変形例２と異なり、ＰＣＳ吸気口２００ａに代えてＰＣＳ吸気口２００ｄが形成されている。なお、その他の構成については、上記変形例２と同様のため、説明は省略する。
【０１１０】
床板吸気口１１ｅは、下壁部１１の床板１１ｃに形成された複数の開口部を有する矩形状の吸気口であり、パワーコンディショナ２００の直下に配置されている。これにより、床板吸気口１１ｅは、側面吸気口１１ｂから吸気された空気を、パワーコンディショナ２００の内方に吸気する。なお、床板吸気口１１ｅの形状は、矩形状には限定されず、円形状、楕円形状、矩形以外の多角形状などどのような形状であってもかまわない。
【０１１１】
ＰＣＳ吸気口２００ｄは、パワーコンディショナ２００の外方の空気をパワーコンディショナ２００の内方に吸気する複数の開口部が形成された矩形状の吸気口であり、パワーコンディショナ２００の下面に配置されている。具体的には、ＰＣＳ吸気口２００ｄは、床板吸気口１１ｅと対向する位置（Ｚ軸方向から見て、少なくとも一部が床板吸気口１１ｅと重なる位置）に形成されている。なお、ＰＣＳ吸気口２００ｄの形状は、矩形状には限定されず、円形状、楕円形状、矩形以外の多角形状などどのような形状であってもかまわない。
【０１１２】
なお、本変形例では、床板吸気口１１ｅは、パワーコンディショナ２００ごとに１つずつの合計２つ形成されているが、床板吸気口１１ｅの数は特に限定されず、２つのパワーコンディショナ２００を跨るように大きな吸気口が１つ形成されていてもよいし、小さな吸気口が多数形成されていてもよい。
【０１１３】
以上のように、本発明の実施の形態の変形例３に係るコンテナ型蓄電ユニットにおいても、上記実施の形態と同様の効果を奏することができる。特に、パワーコンディショナ２００の直下の床板に吸気口が配置されているため、パワーコンディショナ２００によって熱せられていない空気をパワーコンディショナ２００の直下から吸気することができ、効率良く、かつ簡易に、パワーコンディショナ２００内の空気の温度の上昇を抑制することができる。
【０１１４】
（変形例４）
次に、上記実施の形態の変形例４について、説明する。上記実施の形態では、コンテナ１０の側壁部１２に側壁吸気口１２ｂが形成されていることとした。しかし、本変形例では、コンテナ１０の側壁部１４に吸気口が形成されている。
【０１１５】
図１１は、本発明の実施の形態の変形例４に係るパワーコンディショナ２００周りの構成を示す斜視図である。具体的には、同図は、図５に対応する図である。
【０１１６】
同図に示すように、本変形例において、側壁部１４には、上記実施の形態と異なり、側壁吸気口１４ｂが形成されている。また、本変形例において、側壁部１２（図示せず）には、上記実施の形態と異なり、側壁吸気口１２ｂが形成されていない。また、本変形例において、パワーコンディショナ２００には、上記実施の形態と異なり、ＰＣＳ吸気口２００ａに代えてＰＣＳ吸気口２００ｅが形成されている。なお、その他の構成については、上記実施の形態と同様のため、説明は省略する。
【０１１７】
側壁吸気口１４ｂは、側壁部１４の下部に形成された複数の開口部を有する矩形状の吸気口であり、パワーコンディショナ２００と対向する位置（Ｘ軸方向から見て、少なくとも一部がＰＣＳ吸気口２００ｅと重なる位置）に形成されている。これにより、側壁吸気口１４ｂは、側壁吸気口１４ｂから吸気された空気を、パワーコンディショナ２００の内方に吸気する。なお、側壁吸気口１４ｂの形状は、矩形状には限定されず、円形状、楕円形状、矩形以外の多角形状などどのような形状であってもかまわない。
【０１１８】
ＰＣＳ吸気口２００ｅは、パワーコンディショナ２００の外方の空気をパワーコンディショナ２００の内方に吸気する複数の開口部が形成された矩形状の吸気口であり、パワーコンディショナ２００の背面（Ｘ軸方向マイナス側の面）の下部に配置されている。つまり、ＰＣＳ吸気口２００ｅは、側壁吸気口１４ｂと対向する位置（Ｚ軸方向から見て、少なくとも一部が側壁吸気口１４ｂと重なる位置）に形成されている。なお、ＰＣＳ吸気口２００ｅの形状は、矩形状には限定されず、円形状、楕円形状、矩形以外の多角形状などどのような形状であってもかまわない。
【０１１９】
なお、本変形例では、側壁吸気口１４ｂは、パワーコンディショナ２００ごとに１つずつの合計２つ形成されているが、側壁吸気口１４ｂの数は特に限定されず、２つのパワーコンディショナ２００を跨るように大きな吸気口が１つ形成されていてもよいし、小さな吸気口が多数形成されていてもよい。
【０１２０】
以上のように、本発明の実施の形態の変形例４に係るコンテナ型蓄電ユニットにおいても、上記実施の形態と同様の効果を奏することができる。特に、側壁吸気口１４ｂは、パワーコンディショナ２００の近傍（ＰＣＳ吸気口２００ｅの近傍）に配置されているため、効率良く、かつ簡易に、パワーコンディショナ２００内の空気の温度の上昇を抑制することができる。
【０１２１】
以上、本発明の実施の形態及びその変形例に係るコンテナ型蓄電ユニットについて説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１２２】
例えば、上記実施の形態及びその変形例では、コンテナ型蓄電ユニットは、コンテナ１０の内方に、蓄電装置１００とパワーコンディショナ２００と制御装置３００とを備えていることとした。しかし、コンテナ型蓄電ユニットは、制御装置３００を備えていない構成でもかまわない。
【０１２３】
また、上記実施の形態及びその変形例１、４では、側壁部１２または１４の下部に側壁吸気口１２ｂまたは１４ｂが形成されていることとした。しかし、側壁吸気口１２ｂまたは１４ｂは、側壁部１２または１４の中央部または上部に形成されていてもかまわない。また、側壁部１２、１４ではなく、側壁部１３に吸気口が形成されていることにしてもよい。
【０１２４】
また、上記実施の形態及びその変形例１、２では、パワーコンディショナ２００の前面の下部にＰＣＳ吸気口２００ａが配置されていることとした。しかし、ＰＣＳ吸気口２００ａは、パワーコンディショナ２００の前面の中央部または上部に配置されていてもよいし、パワーコンディショナ２００の側面の下部、中央部または上部に配置されていてもかまわない。また、同様に、上記変形例４では、パワーコンディショナ２００の背面の下部にＰＣＳ吸気口２００ｅが配置されていることとしたが、ＰＣＳ吸気口２００ｅは、パワーコンディショナ２００の背面の中央部または上部に配置されていてもかまわない。
【０１２５】
また、上記実施の形態及びその変形例では、パワーコンディショナ２００ごとに囲い部材２１０が設けられていることとした。しかし、複数のパワーコンディショナ２００に跨って、１つの囲い部材２１０しか設けられていない構成でもよい。この場合、複数のパワーコンディショナ２００に対して１つの第二換気扇２２０しか設けられていない構成でもかまわない。
【０１２６】
また、コンテナ１０の内部の空間を仕切る間仕切壁１７は、コンテナ１０に必須の要素ではなく、コンテナ型蓄電ユニットは、間仕切壁１７を有していなくてもよい。
【０１２７】
また、上記実施の形態及びその変形例が備える各構成要素を任意に組み合わせて構築される形態も、本発明の範囲内に含まれる。例えば、上記の変形例１の内容を変形例２の構成に適用してもよい。つまり、コンテナ型蓄電ユニットにおいて、床板１１ｃの床板吸気口１１ｄとパワーコンディショナ２００のＰＣＳ吸気口２００ａとを接続する風路を形成する可動式のダクトを備える構成にしてもかまわない。
【産業上の利用可能性】
【０１２８】
本発明は、１以上の蓄電素子をコンテナに収納したコンテナ型蓄電ユニット等に適用できる。
【符号の説明】
【０１２９】
１  コンテナ型蓄電ユニット
２  商用電力系統
３  電力負荷
１０  コンテナ
１１  下壁部
１１ａ  側面部
１１ｂ  側面吸気口
１１ｃ  床板
１１ｄ、１１ｅ  床板吸気口
１２、１３、１４、１５  側壁部
１２ａ、１３ａ  開閉扉
１２ｂ、１４ｂ  側壁吸気口
１４ａ  側壁排気口
１６  上壁部
１７  間仕切壁
１００、１０１〜１０８  蓄電装置
１１０  ラック
１２０  蓄電モジュール
１２１  収容ケース
１２２  蓄電素子
１２２ａ  容器蓋体
１２２ｂ  容器本体
１２２ｃ  正極端子
１２２ｄ  負極端子
１２２ｅ  正極集電体
１２２ｆ  負極集電体
１２２ｇ  電極体
２００、２０１、２０２  パワーコンディショナ
２００ａ、２００ｄ、２００ｅ  ＰＣＳ吸気口
２００ｂ  ＰＣＳ排気口
２００ｃ  第一換気扇
２１０  囲い部材
２１１、２１２、２１３  板状部材
２２０  第二換気扇
２３０  ダクト
３００  制御装置
５１０、５２０  電源線
５３０、５４０  通信線
【図１】
0006455282.tif 000002
【図２】
0006455282.tif 000003
【図３】
0006455282.tif 000004
【図４】
0006455282.tif 000005
【図５】
0006455282.tif 000006
【図６】
0006455282.tif 000007
【図７】
0006455282.tif 000008
【図８】
0006455282.tif 000009
【図９】
0006455282.tif 000010
【図１０】
0006455282.tif 000011
【図１１】
0006455282.tif 000012